(57)【要約】      （修正有）【課題】組み立てが容易なローラー保持器及びスライドブロックアセンブリを提供する。【解決手段】スライドブロック１００には、該スライドブロック１００を貫通するスライド槽１０１を形成する。一対のローラー保持器２００は、スライド槽１０１内に相対的に設置される。該各ローラー保持器２００は、３本の保持ストリップ２１０ａ、２１０ｂ、２１０ｃをそれぞれ備える。少なくとも１個の保持ストリップ２１０ｂには、貫通構造２１１を形成する。ローラー保持器２００中間の保持ストリップ２１０ｂの断面は概ね三角形を呈し、しかも長度方向に沿って配列する複数の貫通構造２１１を設置する。【選択図】図５
0003208862.tif 000002
【実用新案登録請求の範囲】
【請求項１】
ローラー保持器は、スライドブロックに設置され、複数の保持ストリップ、一対の挟板を備え、
該各保持ストリップは相互に平行に間隔を開けて配列され、しかも隣り合う２個の該保持ストリップの間には、槽道を形成し、
該一対の挟板は、相互に平行に間隔を開けて配置され、これにより該スライドブロックを挟持し、しかも該挟板は、該各保持ストリップの端に一体に連接し、もう一つの該挟板は、該各保持ストリップの反対端に一体に連接することを特徴とするローラー保持器。
【請求項２】
前記各挟板には、少なくとも１個の循環孔をそれぞれ開設することを特徴とする請求項１に記載のローラー保持器。
【請求項３】
前記各挟板には、少なくとも１個の循環孔をそれぞれ開設し、しかも該各挟板上に配置される循環孔の数量と槽道の数量とは相互に対応することを特徴とする請求項１に記載のローラー保持器。
【請求項４】
前記少なくとも１個の保持ストリップには、貫通構造を形成することを特徴とする請求項１に記載のローラー保持器。
【請求項５】
前記貫通構造の形状は概ね、角錐状或いは円錐状であることを特徴とする請求項４に記載のローラー保持器。
【請求項６】
スライドブロックアセンブリは、スライド槽を形成するスライドブロック、ローラー保持器を備え、
該ローラー保持器は、該スライド槽内に設置され、該ローラー保持器は、複数の保持ストリップ及び一対の挟板をそれぞれ備え、該各ローラー保持器の該各保持ストリップは相互に平行に間隔を開けて配列され、隣り合う２個の該保持ストリップの間には、槽道を形成し、該各ローラー保持器の１個の該挟板は、該各保持ストリップの端に一体に連接され、該ローラー保持器のもう一つの該挟板は、該ローラー保持器の該各保持ストリップの反対端に一体に連接し、該ローラー保持器の該一対の挟板は、相互に平行に間隔を開けて配置され、しかも該スライドブロックを挟持することを特徴とするスライドブロックアセンブリ。
【請求項７】
前記スライドブロックアセンブリは、該槽道に対応する循環管及び該スライド槽二端に対応して配置される一対の端蓋を備え、
該各端蓋内には、湾曲道をそれぞれ形成し、一方の該湾曲道は、該循環管の端と該槽道の端との間に連通し、もう一つの該湾曲道は、該循環管の反対端と該槽道の反対端との間に連通することを特徴とする請求項６に記載のスライドブロックアセンブリ。
【請求項８】
前記各端蓋及び該循環管の二端は、クリンチ部をそれぞれ延伸し、該各端蓋と該循環管は、対応する２個の該クリンチ部によりそれぞれ接続されて相互に連接することを特徴とする請求項７に記載のスライドブロックアセンブリ。
【請求項９】
前記各挟板には、該槽道に対応する循環孔をそれぞれ開設し、しかも該各クリンチ部は、対応する該循環孔をそれぞれ通過することを特徴とする請求項８に記載のスライドブロックアセンブリ。
【請求項１０】
前記各クリンチ部は、半円弧状を呈し、しかも相互に対応する２個の該クリンチ部は、対応して、円管状に組み合わされることを特徴とする請求項９に記載のスライドブロックアセンブリ。
【請求項１１】
前記各端蓋は、外蓋、及び該外蓋内に設置される内蓋をそれぞれ備え、
該内蓋内には、該湾曲道を形成し、しかも該クリンチ部は、該内蓋から延伸することを特徴とする請求項８に記載のスライドブロックアセンブリ。
【請求項１２】
前記各端蓋は、外蓋、及び該外蓋内に設置される内蓋をそれぞれ備え、
該内蓋と該外蓋との間には、該湾曲道を形成し、しかも該クリンチ部は、該外蓋から延伸することを特徴とする請求項８に記載のスライドブロックアセンブリ。
【請求項１３】
前記保持ストリップには、貫通構造を形成することを特徴とする請求項６に記載のスライドブロックアセンブリ。
【請求項１４】
前記保持ストリップには、横方向安定構造を形成し、
該横方向安定構造は、該保持ストリップの縦方向に沿って延伸し、しかも該横方向安定構造は、該スライドブロックに噛み合うことを特徴とする請求項６に記載のスライドブロックアセンブリ。
【請求項１５】
前記保持ストリップの該横方向安定構造は、該保持ストリップの縦方向に沿って延伸する溝槽であることを特徴とする請求項１４に記載のスライドブロックアセンブリ。
【請求項１６】
前記保持ストリップの該横方向安定構造は、該保持ストリップの縦方向に沿って延伸する凸リブであることを特徴とする請求項１４に記載のスライドブロックアセンブリ。
【考案の詳細な説明】
【技術分野】
【０００１】
本考案はスライドブロックのローリング体保持構造に関し、特に組み立てが容易なローラー保持器及びスライドブロックアセンブリに関する。
【背景技術】
【０００２】
既存の線性スライドレールはしばしば、ローリングボール或いはローラーを、スライドブロック及びスライドレールの間のスライド媒介として使用する。
ローリング体のローリング作動方式、及びスライドレールとの接触を減らす特性により、スライドブロックは磨擦力が極めて小さい状態下で、スライドレールの上でスライドすることができる。
その作動は、高い正確性を備える。
【０００３】
一般的には、ローラーは、スライドブロック内で、固定のルートに沿って循環ローリングし、しかもルートの部分では、ローラーは露出し、スライドレールに接触する。
ローラーの露出時には、保持構造によりスライドブロック上で保持する必要がある。  そうでなければ、ローリングボールはスライドブロックから脱落する恐れがある。
既存の保持構造の多くは、プラスチックストリップにより構成され、一対のプラスチックストリップは間隔を開けて配置され、これによりローラーは、プラスチックストリップの間を通過する時、露出できる。
しかも、プラスチックストリップの辺縁により、ローラーを係止し、これによりローラーは脱落しない。
そのため、組み立て時には、プラスチックストリップを一つ一つスライドブロックに取り付けなければならず、組み立てが非常に不便である。
本考案は、従来の構造の上記した欠点に鑑みてなされたものである。
【先行技術文献】
【特許文献】
【０００４】
【特許文献１】特開2012-87933号公報
【考案の概要】
【考案が解決しようとする課題】
【０００５】
本考案が解決しようとする課題は、組み立てが容易なローラー保持器を提供することである。
【課題を解決するための手段】
【０００６】
上記課題を解決するため、本考案は下記のローラー保持器及びスライドブロックアセンブリを提供する。
本考案によるローラー保持器は、スライドブロックに設置され、複数の保持ストリップ及び一対の挟板を備え、
該保持ストリップは相互に平行に間隔を開けて配列され、該隣り合う２個の保持ストリップの間には、槽道を形成し、
該挟板は、相互に平行に間隔を開けて配置され、該スライドブロックを挟持し、しかも一つの挟板は、該各保持ストリップの端に一体に連接され、もう一つの挟板は、該各保持ストリップの反対端に一体に連接され、
好ましくは、該各挟板には、少なくとも１個の循環孔をそれぞれ開設し、該各挟板上に配置される循環孔の数量と槽道の数量とは相互に対応し、
該少なくとも１個の保持ストリップには、貫通構造を形成し、
本考案によるスライドブロックアセンブリは、スライドブロック及び一対のローラー保持器を備え、
該スライドブロックには、スライド槽を形成し、
該ローラー保持器は、該スライド槽内に相対的に設置され、該各ローラー保持器は、複数の保持ストリップ及び一対の挟板をそれぞれ備え、該各ローラー保持器が保持するストリップは相互に平行に間隔を開けて配列され、隣り合う２個の保持ストリップの間には、槽道を形成し、
該各ローラー保持器の一つの挟板は、該各保持ストリップの端に一体に連接され、該ローラー保持器のもう一つの挟板は、該ローラー保持器の各保持ストリップの反対端に一体に連接され、該ローラー保持器の一対の挟板は、相互に平行に間隔を開けて配置され、しかもスライドブロックを挟持し、
好ましくは、該スライドブロックアセンブリは、槽道に対応する循環管及び一対の端蓋を備え、該各端蓋内には、湾曲道をそれぞれ形成し、一つの湾曲道は、該循環管の端と該槽道の端との間に連通し、もう一つの湾曲道は、該循環管の反対端と該槽道の反対端との間に連通し、
該各端蓋及び該循環管の二端は、クリンチ部をそれぞれ延伸し、該各端蓋及び該循環管は、対応する二端のクリンチ部によりそれぞれ接続されて連接し、
該挟板には、槽道に対応する循環孔をそれぞれ開設し、しかも該各クリンチ部は、対応する循環孔をそれぞれ通過し、
該クリンチ部は、半円弧状を呈し、しかも相互に対応する２個のクリンチ部は、対応して円管状に組み合わされ、
該各端蓋は、外蓋、及び該外蓋内に設置される内蓋をそれぞれ備え、該内蓋内には、湾曲道を形成し、しかも該クリンチ部は、該内蓋から延伸し、
該内蓋と該外蓋との間には、湾曲道を形成し、しかも該クリンチ部は、該外蓋から延伸し、
該保持ストリップには、貫通構造を形成し、
該保持ストリップには、横方向安定構造を形成し、該横方向安定構造は、該保持ストリップの縦方向に沿って延伸し、しかも該横方向安定構造は、該スライドブロックをかみ合い、
該保持ストリップの横方向安定構造は、該保持ストリップの縦方向に沿って延伸する溝槽或いは凸リブで、
該各保持ストリップは、該各挟板をそれぞれ一体に連接する。
【考案の効果】
【０００７】
本考案のローラー保持器は、一体連結の複数の保持ストリップを備えるため、保持ストリップのスライドブロックへの取り付けに便利で、各保持ストリップをそれぞれ組み立てる必要がない。
【図面の簡単な説明】
【０００８】
【図１】本考案実施形態によるスライドブロックアセンブリの立体模式図である。
【図２】本考案実施形態によるスライドブロックアセンブリの立体分解模式図である。
【図３】本考案実施形態によるスライドブロックアセンブリの別種の立体分解模式図である。
【図４】本考案実施形態によるローラー保持器の立体模式図である。
【図５】本考案実施形態によるローラー保持器の別種の立体模式図である。
【図６】本考案実施形態によるローラー保持器の配置模式図である。
【図７】本考案実施形態によるスライドブロックアセンブリの作動状態模式図である。
【考案を実施するための形態】
【０００９】
以下に図面を参照しながら本考案を実施するための最良の形態について詳細に説明する。
【００１０】
図１〜図５は、本考案実施形態によるスライドブロックアセンブリ及びそのローラー保持器２００を示す。
【００１１】
該スライドブロックアセンブリは、スライドブロック１００、該スライドブロック１００に設置される少なくとも１個のローラー保持器２００、少なくとも１個の循環管３００、一対の端蓋４００及び一対のスキージブレード５００を備える。
【００１２】
図５に示すように、本実施形態中では、該スライドブロック１００は好ましくは金属製のブロック体であるが、本考案は金属に限定するものではなく（ポリオキシメチレン、プラスチック、セラミック或いは他の材質）、しかも該スライドブロック１００には、該スライドブロック１００を貫通するスライド槽１０１を形成する。
【００１３】
図３〜図５に示すように、本実施形態では、好ましくは、一対のローラー保持器２００は、スライド槽１０１内に相対的に設置される。
【００１４】
本考案では、該ローラー保持器２００の数量は限定せず（１個のローラー保持器２００、２個以上のローラー保持器２００とすることができる）、該各ローラー保持器２００は、複数の保持ストリップ２１０ａ、２１０ｂ、２１０ｃ及び一対の挟板２２０をそれぞれ備える。
【００１５】
本実施形態では、該各ローラー保持器２００は、３本の保持ストリップ２１０ａ、２１０ｂ、２１０ｃをそれぞれ備えるが、本考案は保持ストリップ２１０ａ、２１０ｂ、２１０ｃの数量を限定しない。
【００１６】
少なくとも１個の保持ストリップ２１０ｂには、貫通構造２１１を形成する。
【００１７】
本実施形態では、ローラー保持器２００中間の保持ストリップ２１０ｂの断面は概ね三角形を呈し、しかも長度方向に沿って配列する複数の貫通構造２１１を設置する。
【００１８】
該貫通構造２１１の形状は概ね角錐状で、図６に示すように、該貫通構造２１１によりローラー保持器２００の強度と軽量は達成され、材料の使用量を削減することもできる（他の実施方式では、貫通構造２１１を他の保持ストリップに設置し、或いは貫通構造２１１の形状を円錐状等形状にすることもできる）。
【００１９】
本考案のローラー保持器２００は、プラスチック或いはセラミック、金属等他の材質により一体成型する。
【００２０】
該各ローラー保持器２００において、該保持ストリップ２１０ａ、２１０ｂ、２１０ｃは相互に平行に間隔を開けて配列され、しかも該スライド槽１０１の縦方向に平行で、こうして隣り合う２個の保持ストリップ（２１０ａ、２１０ｂ或いは２１０ｂ、２１０ｃ）の間には、それぞれ槽道２０１が形成される。
【００２１】
本実施形態では、該３本の保持ストリップ２１０ａ、２１０ｂ、２１０ｃは好ましくは、２個の槽道２０１を形成し、図６に示すように、該各保持ストリップ２１０ａ、２１０ｂ、２１０ｃの側縁は、朝向取り囲んで形成する隣接する槽道２０１に向かい、それぞれカギ部を形成する。
【００２２】
該ローラー保持器２００の挟板２２０は、該ローラー保持器２００の各保持ストリップ２１０ａ、２１０ｂ、２１０ｃの端に一体に連接する。
【００２３】
該ローラー保持器２００のもう一つの挟板２２０は、該ローラー保持器２００の各保持ストリップ２１０ａ、２１０ｂ、２１０ｃの反対端に一体に連接する。
【００２４】
該ローラー保持器２００の挟板２２０は、相互に平行に間隔を開けて配置され、しかも該スライド槽１０１の二端縁を挟持でき、これにより該ローラー保持器２００を、該スライドブロック１００上に固定する。
【００２５】
好ましくは、該挟板２２０と該スライドブロック１００との間には、凹凸対応構造を設置し、ローラー保持器２００とスライドブロック１００との固定効果を高め、或いは固定部材２３０を利用し、該ローラー保持器２００と該スライドブロック１００とを相互に固定することもできる。
【００２６】
図６に示すように、該各ローラー保持器２００上には、横方向安定構造２１２をそれぞれ形成し、該横方向安定構造２１２は、それが位置する保持ストリップ２１０ａ、２１０ｂ、２１０ｃの縦方向に沿って延伸し、しかも該各横方向安定構造２１２は、該スライドブロック１００とそれぞれ噛み合う。
【００２７】
本実施形態中では、該横方向安定構造２１２は、該保持ストリップ２１０ａ、２１０ｂ、２１０ｃの縦方向に沿って延伸する溝槽或いは凸リブである。
【００２８】
図１〜図３及び図７に示すように、循環管３００内部では、複数のローラー１０が循環ローリングし、該循環管３００は、円管状を呈するが、その内壁形状とローラー１０外形とは符合し、これにより該ローラー１０は、内部で循環ローリングする。
【００２９】
本実施形態中では、循環管３００の数量と槽道２０１の数量とは、相互に対応し、しかも該各循環管３００は、それぞれ１個の槽道２０１に対応する（他の実施形態では、２個の槽道２０１にのみ対応する方式とし、しかも２個の循環管のみを対応して設置する）。
【００３０】
本実施形態中では、各ローラー保持器２００には、２個の槽道２０１をそれぞれ形成するため、該スライドブロック１００上には、該各槽道２０１に対応して４個の循環管３００を配置し、該循環管３００は２個ずつ相対し、該スライド槽１０１の両側に配置され、即ち該スライド槽１０１の片側には、２個の循環管３００を配置する。
【００３１】
該一対の端蓋４００は、該スライド槽１０１の二端にそれぞれ配置され、しかも該各端蓋４００内の、該スライド槽１０１に対応する両側には、少なくとも１個の湾曲道４０１ａ、４０１ｂをそれぞれ形成し、該湾曲道４０１ａ、４０１ｂの数量と該槽道２０１の数量とは、相互に対応し、該各循環管３００と対応する槽道２０１との間にそれぞれ連接する。
【００３２】
２個の端蓋４００の構造及びそれが循環管３００に連接する方式は相同であるため、後文では１個の端蓋４００についてのみ説明する。
【００３３】
１個の端蓋４００において、該スライド槽１０１の両側の湾曲道４０１ａ、４０１ｂの配置方向は、相同、或いは対称とできる。
【００３４】
しかも、該端蓋４００上の対応するスライド槽１０１の片側においては、該各湾曲道４０１ａ、４０１ｂは、相互に対応する循環管３００及び槽道２０１の間にそれぞれ連接し、本実施形態中では、各端蓋４００内には、４個の独立した湾曲道４０１ａ、４０１ｂをそれぞれ形成する。
【００３５】
好ましくは、該端蓋４００は、外蓋４１０、及び該外蓋４１０内に設置される少なくとも１個の内蓋４２０を備える。
【００３６】
本実施形態中では、該端蓋４００は、該スライド槽１０１両側に対応して配置される２個の内蓋４２０を備え、該各内蓋４２０は、スライド槽１０１両側に対応し、相互に交差して跨ぐ２個の湾曲道４０１ａ、４０１ｂをそれぞれ形成する。
【００３７】
該各内蓋４２０に、湾曲道４０１ａ、４０１ｂを形成する方式は、該内蓋４２０を湾曲道４０１ａは貫通して形成され、しかも該内蓋４２０と相互に連接する外蓋４１０との間には、もう一つの湾曲道４０１ｂを形成し、これにより該２個の湾曲道４０１ａ、４０１ｂは、相互に交差して跨ぐ。
【００３８】
図２、図３及び図７に示すように、該各槽道２０１、及びそれと相互に対応する循環管３００及び２個の湾曲道４０１は相互に連通し、封鎖ルートを構成し、複数のローラー１０を収容し、しかも該ローラー１０は、該封鎖ルート内で循環ローリングできる。
【００３９】
対応して相互に連接される１組の槽道２０１、循環管３００及び２個の湾曲道４０１ａ、４０１ｂにおいて、該湾曲道４０１ａは、循環管３００の端と槽道２０１の端の間に連通する。
【００４０】
もう一つの湾曲道４０１ｂは、循環管３００の反対端及び槽道２０１の反対端との間に連通する。
【００４１】
該ローラー１０が該各槽道２０１を通過する時には露出でき、しかもカギ部は、該ローラー１０を、該各槽道２０１内に保持する。
【００４２】
図２、３及び図７に示すように、該各循環管３００の二端は、クリンチ部３１０をそれぞれ延伸する。
【００４３】
該端蓋４００上の、該各湾曲道４０１ａ、４０１ｂに対応するその端は、クリンチ部４３０ａ、４３０ｂをそれぞれ延伸し、しかも該端蓋４００上のクリンチ部４３０ａは、内蓋４２０より延伸する。
【００４４】
該端蓋４００上のもう一つのクリンチ部４３０ｂは、外蓋４１０から延伸し、該各循環管３００二端のクリンチ部３１０は、該各端蓋４００上の対応するクリンチ部４３０ａ或いは４３０ｂにそれぞれ接続し、これにより該循環管３００と該端蓋４００とは定位されて相互に連接する。
【００４５】
好ましくは、該各クリンチ部３１０、４３０ａ、４３０ｂは皆、半円弧状を呈するが、その内壁形状とローラー１０外形とは符合し、しかも相互に対応する２個のクリンチ部３１０、４３０ａ（或いは３１０、４３０ｂ）は、接続して円管状に組み合わされ、これにより該ローラー１０は、その内部で循環ローリングする。
【００４６】
これにより、該循環管３００が端蓋４００に連接する時には、循環管３００の周囲を定位でき、該循環管３００が回転し、該ローラー１０移動のスムーズ性に影響を及ぼすことを回避する。
【００４７】
該各挟板２２０には、各槽道２０１に対応する循環孔２２１をそれぞれ開設し、しかも該各クリンチ部３１０、４３０ａ（或いは３１０、４３０ｂ）は、対応する循環孔２２１をそれぞれ通過し、これにより該ローラー保持器２００は、該クリンチ部３１０、４３０ａ（或いは３１０、４３０ｂ）により固定される。
【００４８】
図１及び図７に示すように、本考案のスライドブロックアセンブリがスライドレール上でスライド移動する際には、該ローラー１０は、スライドレールの表面に接触し、しかも該ローラー１０は、スライドブロックアセンブリに従い移動し、循環ローリングを行うため、スライドブロックアセンブリは、スライドレールとの間の抵抗力を減らすことができる。
【００４９】
図１図２及び図７に示すように、スキージブレード５００は、各端蓋４００にそれぞれ設置される。
【００５０】
該スキージブレード５００は、スライドレールの表面をスクイーズでき、これによりスライドレールを清掃し、スライドブロックアセンブリとスライドレール表面との間への異物侵入を回避できる。
【００５１】
該ローラー１０が槽道２０１内で移動すると、該横方向安定構造２１２は、該保持ストリップ２１０ａ、２１０ｂ、２１０ｃを固定でき、これにより該ローラー１０が移動中に保持ストリップ２１０ａ、２１０ｂ、２１０ｃを圧迫し、該保持ストリップ２１０ａ、２１０ｂ、２１０ｃが変形することを回避できる。
【００５２】
本考案のローラー保持器２００は一体成型で、しかも保持器は、該挟板２２０によりスライドブロック１００を挟持し、該スライドブロック１００に固定するため、一回で複数の保持ストリップ２１０ａ、２１０ｂ、２１０ｃをスライドブロック１００上に組み立てでき、該各保持ストリップ２１０ａ、２１０ｂ、２１０ｃをそれぞれ組み立てる必要はない。
【００５３】
さらに、端蓋４００及び循環管３００は、クリンチ部３１０、４３０ａ（或いは３１０、４３０ｂ）により、循環孔２２１を通過後、相互に接続するため、定位が容易で、しかも堅固に組み合わされる。
【００５４】
該保持ストリップ２１０ａ、２１０ｂ、２１０ｃの貫通構造２１１により、該保持ストリップ２１０ａ、２１０ｂ、２１０ｃの厚みは均一となり、プラスチック射出の変形量をコントロールしやすく、これにより該ローラー保持器２００は良好な精度を維持される。  
【００５５】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００５６】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００５７】
１０  ローラー
１００  スライドブロック
１０１  スライド槽
２００  ローラー保持器
２０１  槽道
２１０ａ、２１０ｂ、２１０ｃ  保持ストリップ
２１１  貫通構造
２１２  横方向安定構造
２２０  挟板
２２１  循環孔
２３０  固定部材
３００  循環管
３１０  クリンチ部
４００  端蓋
４０１ａ、４０１ｂ  湾曲道
４１０  外蓋
４２０  内蓋
４３０ａ、４３０ｂ  クリンチ部
５００  スキージブレード
【図１】
0003208862.tif 000003
【図２】
0003208862.tif 000004
【図３】
0003208862.tif 000005
【図４】
0003208862.tif 000006
【図５】
0003208862.tif 000007
【図６】
0003208862.tif 000008
【図７】
0003208862.tif 000009